(57)【要約】【課題】簡易な構成によりポンプ吸込側配管とポンプ吐水側配管の勾配を所定に設定できて、排水時の配管内への残水等を確実に防止し得るジェットバスの配管構造を提供する。【解決手段】バスタブの壁面に設けた吸込口と吐水口とをポンプ吸込側配管、ポンプ、ポンプ吐水側配管を介して接続するジェットバスの配管構造であって、前記ポンプ吸込側配管とポンプ吐水側配管とを連結手段で一体化することにより、ポンプ吐水側配管の吐水流路を水平状態に設定した際に、ポンプ吸込側配管の吸込流路が水平状態もしくは前記吸込口に向けて下り勾配になる如く設定する。前記連結手段は、ポンプ吸込側配管とポンプ吐水側配管とに一体成形された連結板で形成されたり、連結板と該連結板の下部に着脱可能に設けられポンプ吸込側配管を固定する固定部材で構成される。【選択図】  図２
2004173733.tif 000002
【特許請求の範囲】
【請求項１】
バスタブの壁面に設けた吸込口からバスタブ内の水をポンプ吸込側配管を介してポンプに吸込み、該水をポンプ吐水側配管を介して前記壁面に設けた吐水口からバスタブ内に吐水させるジェットバスの配管構造であって、
前記ポンプ吸込側配管とポンプ吐水側配管とを連結手段で一体化することにより、ポンプ吐水側配管の吐水流路を水平状態に設定した際に、ポンプ吸込側配管の吸込流路が水平状態もしくは前記吸込口に向けて下り勾配になる如く設定したことを特徴とするジェットバスの配管構造。
【請求項２】
前記連結手段は、ポンプ吸込側配管とポンプ吐水側配管とに一体成形された連結板で形成されていることを特徴とする請求項１に記載のジェットバスの配管構造。
【請求項３】
前記連結手段は、上部がポンプ吐水側配管に固定された連結板と、該連結板の下部に着脱可能に設けられポンプ吸込側配管を固定する固定部材と、を有することを特徴とする請求項１に記載のジェットバスの配管構造。
【請求項４】
前記ポンプ吐水側配管は、バスタブの壁面に設けられた複数の吐水口に対応する複数の吐水口部を有することを特徴とする請求項１ないし３のいずれかに記載のジェットバスの配管構造。
【発明の詳細な説明】
【０００１】
【発明の属する技術分野】
本発明は、例えばシステムバスルーム等の浴室内のバスタブに設置されるジェットバスの配管構造に関する。
【０００２】
【従来の技術】
従来、システムバスルーム等の浴室１のジェットバス２においては、図７に示すように、バスタブ３に固定的に設けた吸込口４と吐水口５ａ、５ｂとの間にポンプ６が設けられている。このポンプ６は、吸込口４と吸込側配管７で接続される共に、バスタブ３の背側の壁面３ｂに設けられた前記吐水口５ａ、５ｂあるいはバスタブ３の足側の壁面に設けられた図示しない２個の吐水口とがポンプ吐水側配管８〜１０等で接続されている。そしてこの場合、ポンプ６の設置においては、図８に示すように、吸込口４と吐水口５ａ、５ｂ等との高さ位置関係において、吐水口５ａ、５ｂ等（Ｈ１）＞ポンプ６（Ｈ３）＞吸込口４（Ｈ２）となり、かつポンプ吸込側配管７（内部の吸込流路Ａ）がポンプ６側からみて下り勾配で、ポンプ吐水側配管８（内部の吐水流路Ｂ）が上り勾配となるように設定する必要がある。
【０００３】
そのため、シェットバス２の施工時に、ポンプ６をその取付板１１のアジャスター１２によって防水パン１３の床面１３ａからの高さを調整することで、ポンプ６を前述した所定高さ位置に設定して設置している。これにより、湯張り時にはポンプ６の作動でポンプ吸込側配管７やポンプ６内の空気がポンプ吐水側配管８〜１０を通って吐水口５ａ、５ｂ等からバスタブ３内に抜けてポンプ６内に吸込口４から水が吸込まれ、また、排水時にはポンプ６内の水が下り勾配のポンプ吸込側配管７を流れて吸込口４からバスタブ３内に排出され、これがバスタブ３の排水孔１４（図１参照）から浴室１外に排水されるようになっている。（なお、このようなジェットバス１の配管構造としては、例えば特許文献１に開示されている。）
【０００４】
【特許文献１】
特開平８−１６４０８１号公報
【０００５】
【発明が解決しようとする課題】
しかしながら、このように配管構造のジェットバス２にあっては、施工時のバスタブ３の上縁と洗い場カウンターの面合せあるいはバスタブ３とバスタブエプロンの位置合わせ、防水パン１３自体の変形や撓み等のために、防水パン１３の床面１３ａからの高さをスペーサ等によって調整する必要があるため、バスタブ３とポンプ６との高さ位置関係、すなわちバスタブ３に固定的に設けられた吸込口４及び吐水口５ａ、５ｂ等とポンプ６との高さ位置関係がずれる場合がある。
【０００６】
そこで、この高さ位置関係のずれを前記アジャスター１２で調整することも考えられるが、ポンプ６の設置スペースであるバスタブ３の背側の壁面３ｂ外側の空間が狭く、アジャスター１２まで作業者の手が届かない場合があって、極めて作業性が悪く、ポンプ６を所定の高さ位置に設定することが現実的に困難となる。その結果、ポンプ吸込側配管７とポンプ吐水側配管８の勾配が変化して前述した所定の勾配が得られず、例えばポンプ吸込側配管７が上り勾配となり、排水時にポンプ吸込側配管７内に水が残る場合があったり、あるいはポンプ吐水側配管８が下り勾配となり、ポンプ６が吸込不良で空運転になる場合があるという問題点を有している。
【０００７】
本発明は、このような事情に鑑みてなされたもので、その目的は、簡易な構成によりポンプ吸込側配管とポンプ吐水側配管の勾配を所定に設定できて、排水時の配管内への残水等を確実に防止し得るジェットバスの配管構造を提供することにある。
【０００８】
【課題を解決するための手段】
かかる目的を達成すべく、本発明のうち請求項１に記載の発明は、バスタブの壁面に設けた吸込口からバスタブ内の水をポンプ吸込側配管を介してポンプに吸込み、該水をポンプ吐水側配管を介して前記壁面に設けた吐水口からバスタブ内に吐水させるジェットバスの配管構造であって、前記ポンプ吸込側配管とポンプ吐水側配管とを連結手段で一体化することにより、ポンプ吐水側配管の吐水流路を水平状態に設定した際に、ポンプ吸込側配管の吸込流路が水平状態もしくは前記吸込口に向けて下り勾配になる如く設定したことを特徴とする。
【０００９】
このように構成することにより、ポンプが作動するとバスタブ内の水が吸込口からポンプ吸込側配管を介してポンプ内に吸込まれ、この水がポンプからポンプ吐水側配管及び吐水口を介してバスタブ内に吐水される。この時、ポンプ吸込側配管とポンプ吐水側配管とが連結手段で一体化されて、ポンプ吐水側配管の吐水流路を水平状態に設定した際に、ポンプ吸込側配管の吸込流路が水平状態あるいは吸込口に向けて下り勾配に自動的に設定されることから、施工時にポンプ吸込側配管の吸込流路を所定の下り勾配等に容易に設定することができて、排水時のポンプ吸込側配管内に水が残ること等が確実に防止される。
【００１０】
そして、前記連結手段は、請求項２に記載の発明のように、ポンプ吸込側配管とポンプ吐水側配管とに一体成形された連結板で形成されていることが好ましい。このように構成することにより、連結手段が例えば樹脂によってポンプ吸込側配管とポンプ吐水側配管に一体成形された連結板で形成されることから、配管接続部の箇所を削減できて、配管構造を簡略化できる。
【００１１】
また、連結手段は、請求項３に記載の発明のように、上部がポンプ吐水側配管に固定された連結板と、該連結板の下部に着脱可能に設けられポンプ吸込側配管を固定する固定部材と、を有することが好ましい。このように構成することにより、ポンプ吸込側配管が連結板の下部に着脱可能な固定部材によって固定されることから、ポンプ吸込側配管の取り外しや該配管の若干の角度調整等が可能となり、ポンプ吸込側配管の設置や該配管へのポンプの接続が容易に行える。
【００１２】
また、前記ポンプ吐水側配管は、請求項４に記載の発明のように、バスタブの壁面に設けられた複数の吐水口に対応する複数の吐水口部を有することが好ましい。このように構成することにより、ポンプ吸込側配管の複数の吐水口部がバスタブの壁面に設けられた複数の吐水口にそれぞれ対応していることから、ポンプ吸込側配管の吐水口部をバスタブの複数の吐水口に確実に接続できると共に、ポンプ吸込側配管を所定の勾配に容易に設定できる。
【００１３】
【発明の実施の形態】
以下、本発明の実施の形態を図面に基づいて詳細に説明する。
図１〜図４は、本発明に係わるジェットバスの配管構造の一実施形態を示し、図１が該ジェットバスが設置される浴室の平面図、図２がその配管部分を示す正面図、図３がその一部を断面にした側面図、図４がポンプ吸込側配管及びポンプ吐水側配管と連結板を示す正面図である。なお、以下の説明において、図７及び図８に示す部位と同一部位には、同一符号を付して説明する。
【００１４】
図１において、浴室１は、例えば平面視方形状の防水パン１３の周囲に配置された壁パネル１５ａ〜１５ｄ及び図示しない天井パネルによって略箱状に形成され、防水パン１３の壁パネル１５ｂ側にはバスタブ３が設置され、バスタブ３側方の防水パン１３上には一端部にカウンター１６が設置された洗い場１７が形成されている。
【００１５】
前記バスタブ３は、排水孔１４を有する底面３ａと背側及び足側の壁面３ｂ、３ｄと側方の壁面３ｃ、３ｅによって形成され、背側の壁面３ｂに２個の吐水口５ａ、５ｂが設けられ足側の壁面３ｄに２個の吐水口５ｃ、５ｄが設けられると共に、側方の壁面３ｃには吸込口４が設けられている。また、バスタブ３の壁面３ｂ〜３ｄと壁パネル１５ａ〜１５ｃとの間に形成される空間１８内には、ジェットバス２を構成するポンプ６及びこのポンプ６と吸込口４や吐水口５ａ〜５ｄとを連結するポンプ吸込側配管７やポンプ吐水側配管８〜１０等が配置されている。
【００１６】
すなわち、図２及び図３に示すように、吸込口４とポンプ６のポンプ吸込口６ａとがポンプ吸込側配管７で接続され、２個の吐水口５ａ、５ｂとポンプ吐水口６ｂとが２個の吐水口部８ａ、８ｂを有するポンプ吐水側配管８で接続されている。このポンプ吸込側配管７とポンプ吐水側配管８は、例えば樹脂により形成されてバスタブ３の壁面３ｂ外側に位置し、その長手方向の略中央部分が各配管７、８にブロー成形等で一体成形された連結手段としての連結板１９で上下方向に連結されて一体化されている。
【００１７】
この時、ポンプ吸込側配管７とポンプ吐水側配管８及び連結板１９は、図４に示すように、上方に位置するポンプ吐水側配管８と下方に位置するポンプ吸込側配管７とが互いに角度を有することで不平行となるように連結されている。これにより、ポンプ吐水側配管８（内部の吐水流路Ｂ）を水平状態に設定した場合、すなわちポンプ吐水側配管８の２個の吐水口部８ａ、８ｂの上端を水平線状に設定した場合に、ポンプ吸込側配管７（内部の吸込流路Ａ）の吸込口４側である一端部７ａが下方に位置しポンプ６側である他端部７ｂが上方に位置するように下り勾配となる如く設定されている。
【００１８】
また、このポンプ吸込側配管７とポンプ吐水側配管８の連結板１９を介した所定角度を持った連結により、ポンプ吐水側配管８の２個の吐水口部８ａ、８ｂと、ポンプ吐水側配管８の両端部８ｃ、８ｄ間及びポンプ吸込側配管７の両端部７ａ、７ｂ間の高さ寸法ｈ１〜ｈ３が一義的に決定される。これにより、ポンプ６と吸込口４及び吐水口５ａ、５ｂの高さ位置関係が吐水口５ａ、５ｂ＞ポンプ６＞吸込口４となり、ジェットバス２の施工状態において、ポンプ吐水配管８の吐水流路Ｂが水平状態（もしくは上り勾配）で、ポンプ吸込側配管７の吸込流路Ｂが下り勾配に確実に設定されることになる。
【００１９】
そして、このように構成されたポンプ吸込側配管７とポンプ吐水側配管８は、図２及び図３に示すように、その両端部が袋ナットやゴム継手等の継手２０等を介して吸込口４や吐水口５ａ、５ｂあるいはポンプ６等に接続されている。また、他端部８ｄがポンプ吐水口５ｂに継手２０を介して接続されるポンプ吐水側配管８の反ポンプ６側の一端部８ｃには、継手２０を介してその他端部がバスタブ３の壁面３ｄの吐水口５ｃ、５ｄに接続された前記ポンプ吐水側配管１０（図７参照）の一端部が接続されている。
【００２０】
なお、前記ポンプ吐水側配管８の２個の吐水口部８ａ、８ｂ間の寸法は、バスタブ３の２個の吐水口５ａ、５ｂ間の寸法と同一となるように設定されている。また、この例では、ポンプ吸込側配管７とポンプ吐水側配管８を樹脂管で形成することにより、この両配管７、８に連結板１９を一体成形したが、両配管７、８として金属管が使用される場合は、金属製の連結板１９がその上端部を各配管７、８の外周面に溶接すること等によって一体化される。
【００２１】
このように連結板１９で一体化されたポンプ吸込側配管７とポンプ吐水側配管８は、ポンプ６以外の部品が工場内においてバスタブ３に取り付けられ、水漏れ検査等が行われた後にポンプ６と共に施工現場に搬入される。そして、施工現場において、バスタブ３に取り付けられているポンプ吐水側配管８の他端部８ｄに継手２０を介してポンプ６のポンプ吐水口６ｂが接続されると共に、ポンプ吸込側配管７の他端部７ｂに継手２０を介してポンプ６のポンプ吸込口６ａが接続される。
【００２２】
このポンプ６と各配管７、８等の接続時に、ポンプ６は、図２に示すように、その取付板１１のアジャスター１２を予め所定高さ位置に設定することにより、アジャスター１２が防水パン１３の床面１３ａ上に載置された状態で設置される。この時、ポンプ６の各配管７、８への取付高さとなるポンプ吸込側配管７の他端部７ｂとポンプ吐水側配管８の他端部８ｄの位置が一義的に決定されることから、バスタブ３の設置高さを勘案しながら、アジャスター１２の位置を予め設定しつつポンプ５等が空間１８内に設置されるが、継手２０として上下方向に若干変形可能なゴム継手を使用すれば、ポンプ６の設置高さに許容差が得られてその設置が容易に行えることになる。
【００２３】
そして、ポンプ６が設置されたら、このポンプ６を図１に示すよう、浴室１の例えば天井パネル上に設けた電源ユニット２１に接続し、この電源ユニット２１に浴室１の例えば壁パネル１５ｂに配置された操作盤２２（リモコン）を接続する。これにより、ジェットバス２の設置が完了する。
【００２４】
このジェットバス２によれば、前記操作盤２２の所定の操作スイッチが操作されてポンプ６が作動することにより、バスタブ３内の水（湯）が吸込口４、ポンプ吸込側配管７、ポンプ吸込口６ａを介してポンプ６内に吸込まれ、これがポンプ吐水口６ｂ、ポンプ吐水側配管８、吐水口５ａ、５ｂを介してバスタブ３内に噴射される。このポンプ６の作動時に、ポンプ吐水側配管８の吐水流路Ｂが水平状態に設定されポンプ吸込側配管７の吸込流路Ａが下り勾配に設定されていることから、バスタブ３内に湯張りする場合、ポンプ６内やポンプ吐水側配管８内の空気を吐水口５ａ、５ｂからバスタブ３内に確実に排出しつつ、吸込口４からバスタブ３内の水をポンプ６内に吸込むことができ、ポンプ６の空運転が確実に防止される。
【００２５】
そして、ポンプ６により吸込んだ水は、ポンプ６の作動制御や背側や足側の吐水口５ａ〜５ｄに設けた図示しない噴射ノズルの位置設定により、例えば背側の吐水口５ａ、５ｂからバスタブ３内にジェット噴流として噴射されたり、足側の吐水口５ｃ、５ｄからパルス噴流として噴射され、これらの噴流で入浴者に所定のマッサージ効果が得られることになる。
【００２６】
また、ポンプ６を停止させてバスタブ３内の水を排水する場合は、ポンプ吐水側配管８やポンプ吸込側配管７内の水が下り勾配を有するポンプ吸込側配管７を介して吸込口４からバスタブ３内に排出され、これがバスタブ３の排水孔１４から外部に排水されることになり、排水時にポンプ吸込側配管７内に水が残ることが確実に防止される。
【００２７】
このように、上記実施形態のジェットバス２によれば、ポンプ吸込側配管７とポンプ吐水側配管８が連結板１９により両配管７、８が異なる角度となるように一体化されているため、ポンプ吐水側配管８の吐水流路Ｂを水平状態にしてバスタブ３の吐水口５ａ、５ｂに取り付けた際に、ポンプ吸込側配管７の吸込流路Ｂに確実に下り勾配を持たせることができて、排水時の該配管７内への残水が確実に防止され、次のポンプ６の作動を良好に行うことができたり、残水による雑菌の増殖等を防止することができる。
【００２８】
また、ポンプ吐水側配管８のポンプ６より上方に位置する２個の吐水口部８ａ、８ｂを、バスタブ３の２個の吐水口５ａ、５ｂにそれぞれ対応させて該配管８の吐水流路Ｂを水平状態に設定してバスタブ３に取り付けているため、各吐水口５ａ、５ｂとポンプ吐水側配管８の吐水口部８ａ、８ｂの各ピッチが一致して、配管作業が容易に行えると共に、ポンプ吐水側配管８の設置時の下り勾配を確実に防止することができて、該配管８内への空気の残留によるポンプ６の吸込不良や空運転を防止することができる。
【００２９】
また、両配管７、８が一体化されて吐水口５ａ、５ｂや吸込口４に対する位置が一義的に決定されるため、その高さ位置を常に吸込口４＜ポンプ６＜吐水口５ａ、５ｂに設定することができて、施工現場毎の作業バラツキの発生が抑えられた安定した配管状態が得られる。これらのことから、ジェットバス２を確実に動作させて、安定したジェット噴流やパルス噴流等により、入浴者が良好なマッサージ効果を得ることが可能になる。
【００３０】
さらに、ポンプ吸込側配管７とポンプ吐水側配管８が連結板１９で一体化されているため、各配管７、８における継手２０の数等を削減でき、配管構造が簡略化されて配管作業を容易に行うことができる。特に、両配管７、８と連結板１９をブロー成型することにより、配管曲げ部の接合箇所を削減できて、配管作業を一層容易に行うことが可能になる。また、ポンプ６のポンプ吐水口６ｂとバスタブ３の吐水口５ａ、５ｂとがポンプ吐水側配管８のみによって接続されているため、従来のポンプ吐水側配管９を必要とせず、配管構造自体を簡素化することができる。
【００３１】
また、ポンプ吸込側配管７とポンプ吐水側配管８が連結板１９で一体化されて所定の剛性を確保できるため、これらをポンプ６が小型の場合等にその支持部材として機能させることができて、ポンプ６の取付板１１やアジャスター１２が不要になる等、ポンプ６の設置構造を簡略化することもできる。その結果、狭い空間１８内へのポンプ６の設置作業を容易に行うことができると共に、例えば小型のポンプ６の使用によって、ポンプ６を防水パン１３から浮かせた状態でポンプ吐水側配管８等に支持させることができ、防水パン１３を介したポンプ６の振動音の発生防止等を図ることができる。
【００３２】
図５及び図６は、本発明に係わる配管構造の他の実施形態を示す、要部の正面図及びその一部を断面にした側面図である。なお、上記実施形態と同一部位には、同一符号を付して説明する。この配管構造の特徴は、前記連結板１９をポンプ吐水側配管８に一体的に固定し、この連結板１９の下部にインシュロック帯やＵ字金具等の着脱可能な固定部材２３によりポンプ吸込側配管７を固定した点にある。この時、固定部材２３の幅を所定に設定することで、ポンプ吸込側配管７を完全に所定角度位置に固定することもできるが、下り勾配を維持できる範囲で図５の矢印イ方向に若干傾動するように固定することもできる。
【００３３】
この実施形態においても、連結板１９と固定部材２３からなる連結手段でポンプ吸込側配管７とポンプ吐水側配管８を一体化して、ポンプ吸込側配管７の吸込流路Ａを常に下り勾配に設定することができるため、上記実施形態と略同様の作用効果を得ることができる。また、ポンプ吸込側配管７が連結板１９に着脱可能な固定部材２３で固定されるため、ポンプ吸込側配管７を連結板２３から取り外すことができて、配管作業やそのメンテナンス作業を容易に行うことができると共に、ポンプ吸込側配管７を傾動可能に取り付けることで、ポンプ６の設置高さのバラツキあるいはポンプ６の吸込口６ａと吐水口６ｂ間の寸法バラツキ等に簡単に対応できて、ポンプ吸込側配管７とポンプ６との接続作業が容易に行えるという作用効果が得られる。
【００３４】
なお、上記各実施形態においては、バスタブ３に設けられる吐水口５ａ〜５ｄが背側と足側に２個づつ合計４個設けられる場合について説明したが、例えば背側の壁面３ｂにのみ吐水口を２個設けたり、背側あるいは足側の壁面３ｂ、３ｃに１個の吐水口を設けることもできるし、吸込口４の位置も側方の壁面３ｃに限らず、背側の壁面３ｂ下部に設けることもでき、吐水口５ａ〜５ｄや吸込口４の個数やその配置位置は、バスタブ３自体や吐水される噴流の形態に応じて適宜の構成を採用することができる。
【００３５】
また、上記各実施形態においては、ポンプ吐水側配管８の吐水口部８ａ、８ｂを同一長さとすることで設置時のポンプ吐水側配管８の吐水流路Ｂを水平状態に設定したが、例えば吐水口部８ａ、８ｂの長さを調整して吐水流路Ｂをポンプ６からみて上り勾配を有する構成とすることもでき、この場合も、ポンプ吸込側配管７とポンプ吐水側配管８の連結板１９により両配管７、８の角度を所定に設定して、ポンプ吐水側配管７は必ず下り勾配となるように設定する。
【００３６】
さらに、上記各実施形態においては、ポンプ吸込側配管７自体が吸込口４に向けて下り勾配となる場合について説明したが、ポンプ吸込側配管７は必ずしも下り勾配のみに限定されるものでもなく、水平状態でも下り勾配と同様の作用効果を奏することができる。またさらに、上記各実施形態において、例えばポンプ吸込側配管７を水平部分と下り勾配部分との組合せで構成したり、あるいは水平状態のポンプ吸込側配管７と吸込口４とを連結する下り勾配の配管をさらに設ける構成とすることもできる。
【００３７】
また、上記各実施形態においては、ポンプ６のポンプ吐水口６ｂとバスタブ３の吐水口５ａ、５ｂとをポンプ吐水側配管８のみで接続する場合について説明したが、例えば従来例に示すポンプ吐水側配管９をポンプ吐水側配管８と連結板等で連結することにより、ポンプ吸込側配管７とポンプ吐水側配管８、９とを一体化するようにしても良い。また、上記各実施形態における、ポンプ６の設置位置、配管位置及び連結手段の構成等も一例であって、本発明に係わる各発明の要旨を逸脱しない範囲において適宜に変更することができる。
【００３８】
【発明の効果】
以上詳述したように、請求項１に記載の発明によれば、ポンプ吸込側配管とポンプ吐水側配管が連結手段で一体化されて、ポンプ吐水側配管の吐水流路を水平状態にした際に、ポンプ吸込側配管の吸込流路が水平状態かあるいは吸込口に向けて下り勾配に自動的に設定されるため、ポンプ吐水側配管の施工でポンプ吸込側配管の吸込流路を容易に所定の下り勾配等とすることができて、排水時のポンプ吸込側配管内への残水等を確実に防止することができる。
【００３９】
また、請求項２に記載の発明によれば、請求項１に記載の発明の効果に加え、連結手段が樹脂等によってポンプ吸込側配管とポンプ吐水側配管に一体成形された連結板で形成されるため、配管接続部の箇所を削減できて、配管構造を簡略化することができる。
【００４０】
また、請求項３に記載の発明によれば、請求項１に記載の発明の効果に加え、ポンプ吸込側配管が連結板の下部に着脱可能な固定部材によって固定されるため、ポンプ吸込側配管の取り外しや該配管の若干の角度調整等が可能となって、ポンプ吸込側配管の設置や該配管へのポンプの接続等を容易に行うことができる。
【００４１】
また、請求項４に記載の発明によれば、請求項１ないし３に記載の発明の効果に加え、ポンプ吸込側配管の複数の吐水口部がバスタブの壁面に設けられた複数の吐水口にそれぞれ対応しているため、ポンプ吸込側配管の吐水口部をバスタブの複数の吐水口に確実かつ容易に接続できると共に、ポンプ吸込側配管を所定の勾配に容易に設定できる等の効果を奏する。
【図面の簡単な説明】
【図１】本発明に係わる配管構造を採用したジェットバスが設置される浴室の一実施形態を示す平面図
【図２】同その配管部分を示す正面図
【図３】同その一部を断面にした側面図
【図４】同配管と連結板を示す正面図
【図５】本発明に係わる配管構造の他の実施形態を示す図４と同様の正面図
【図６】同その一部を断面にした側面図
【図７】従来の配管構造の斜視図
【図８】同その正面図
【符号の説明】
２・・・・・・・・・ジェットバス
３・・・・・・・・・バスタブ
３ａ〜３ｅ・・・・・壁面
４・・・・・・・・・吸込口
５ａ〜５ｄ・・・・・吐水口
６・・・・・・・・・ポンプ
６ａ・・・・・・・・ポンプ吸込口
６ｂ・・・・・・・・ポンプ吐水口
７・・・・・・・・・ポンプ吸込側配管
８〜１０・・・・・・ポンプ吐水側配管
８ａ、８ｂ・・・・・吐水口部
１３・・・・・・・・防水パン
１５ａ〜１５ｄ・・・壁パネル
１８・・・・・・・・空間
１９・・・・・・・・連結板
２１・・・・・・・・電源ユニット
２３・・・・・・・・固定部材
Ａ・・・・・・・・・吸込流路
Ｂ・・・・・・・・・吐水流路
【図１】
2004173733.tif 000003
【図２】
2004173733.tif 000004
【図３】
2004173733.tif 000005
【図４】
2004173733.tif 000006
【図５】
2004173733.tif 000007
【図６】
2004173733.tif 000008
【図７】
2004173733.tif 000009
【図８】
2004173733.tif 000010